(57)【要約】      （修正有）【課題】インターネット接続ターゲットを迅速に切り換えることができるブルートゥースマウスを提供する。【解決手段】ブルートゥースマウスは、信号処理回路２３を備え、該信号処理回路２３は、マウスの移動量、及びボタンユニット２５の触発に基づき、制御信号を発生し、ブルートゥース伝送装置３と電気的に連接し、マウス内にはさらに、パスキー情報メモリ２４を設置し、ブルートゥース伝送装置３と、１個或いは多数の情報処理システムとが確立するデータ伝送接続のパスキーを保存し、ボタンユニット２５は、その内の１個のボタン、或いは複数のボタンの組合せが、信号処理回路２３を触発し、ターゲット切換信号を発生するように設定し、ターゲット切換信号はブルートゥース伝送装置３を起動し、マウスの移動量に基づき、パスキー情報メモリ２４より１組のパスキーを読み取り、こうしてパスキーが対応する情報処理システムとデータ伝送接続を確立する。【選択図】図２
0003168847.tif 000002
【実用新案登録請求の範囲】
【請求項１】
信号処理回路を備え、
前記信号処理回路は、前記マウスの移動量、及びボタンユニットの触発に基づき、制御信号を発生し、ブルートゥース伝送装置と電気的に連接し、
前記マウス内にはさらに、パスキー情報メモリを設置し、ブルートゥース伝送装置と、１個或いは多数の情報処理システムとが確立するデータ伝送接続のパスキーを保存し、
前記ボタンユニットは、その内の１個のボタン、或いは複数のボタンの組合せが、前記信号処理回路を触発し、ターゲット切換信号を発生するように設定し、
前記ターゲット切換信号は、前記ブルートゥース伝送装置を起動し、前記マウスの移動量に基づき、前記パスキー情報メモリより、１組のパスキーを読み取り、
こうして、パスキーが対応する情報処理システムとデータ伝送接続を確立することを特徴とするインターネット接続ターゲットを迅速に切り換えることができるブルートゥースマウス。
【請求項２】
前記マウスは内部に、移動センサー、及び前記移動センサーと電気的に連接するアナログ/デジタル転換回路を備え、
前記移動センサーは、マウスの移動量を探知すると、前記アナログ/デジタル転換回路を通して、前記信号処理回路へと伝送する移動量信号に転換することを特徴とする請求項１に記載のインターネット接続ターゲットを迅速に切り換えることができるブルートゥースマウス。
【請求項３】
前記マウスが移動する同一平面は、異なる移動量信号を生じる複数の移動区域に区分され、
各移動量信号は、単独で、前記パスキー情報メモリ中の１組のパスキーに対応し、
前記ブルートゥース伝送装置が、ターゲット切換信号を受信すると、前記信号処理回路から前記移動量信号を取得し、
しかも、前記ブルートゥース伝送装置は、前記マウスの移動量に基づき、前記パスキー情報メモリから、１組のパスキーを読取り、前記対応するデータ処理システムと、データ伝送接続を確立することを特徴とする請求項２に記載のインターネット接続ターゲットを迅速に切り換えることができるブルートゥースマウス。
【考案の詳細な説明】
【技術分野】
【０００１】
本考案はインターネット接続ターゲットを迅速に切り換えることができるブルートゥースマウスに関し、特にマウス本体の動態を探知することで、インターネット接続ターゲットを決定するインターネット接続ターゲットを迅速に切り換えることができるブルートゥースマウスに関する。
【背景技術】
【０００２】
デジタル情報処理システム(デスクトップPC、ポータブルPC、スマートフォンなど)が日常生活に普及するようになってから、人々は、これらデジタル処理システムを仕事、娯楽、資料調べ、コミュニケーションに使用している。
しかも、これら情報処理システムは、普及により価格が低下し、使用者は、多数のデジタル情報処理システムを所有可能となった他、大部分の情報処理システムでは、外付けの入力装置を通して、使用者は情報を入力することができる。
上記した外付けの入力装置は、キーボード、マウス、或いはゲーム機のジョイスティックなどのデバイスである。
【０００３】
使用者が最も便利な方式で、上記した入力装置を使用することができるよう、先ずは、従来の有線伝送を無線伝送に変え、配線による移動範囲制限の問題を解決しなければならない。
このタイプの入力装置のデータ伝送量は大きくなく、体積も限られているため、これらタイプの入力装置に使用する無線技術は、主に赤外線伝送とブルートゥース技術である。
しかし、赤外線は、距離と受信方向に限界があるため、赤外線マウスの作動空間の範囲を制限してしまっている。
赤外線伝送に比べて有望なのは、ブルートゥース伝送技術で、ブルートゥースは方向性がないため角度の制限がなく、消費電力が低いという特性を備えるため、多くの電子製品は、ブルートゥース技術を利用し、無線接続の機能を達成している。
【０００４】
ブルートゥース技術を応用した入力装置については、特許文献１の「ブルートゥースでデータを伝送する装置とその伝送方法」を参照されたい。
特許文献１では、マウス、タッチパネル、或いはキーボードは、第一ブルートゥースコンポーネントを利用し、第二ブルートゥースコンポーネントに電気的に連接するコンピューターにデータを伝送する。
上記した特許文献１で開示するように、ブルートゥース技術は、マウス或いはキーボードに使用し、指令をコンピューターに伝送することができる。
【０００５】
特許文献２は、「ボタンとキーボード」を開示する。
同技術は、導電薄片を利用し、アンテナの一部分を形成する。
しかも、導電薄片は、ボタンのボタンキャップ下に挟持、或いは粘着し、これによりボタンキャップ中にアンテナの一部分を含み、こうしてブルートゥースの伝送機能を備えながら、スペースを節減することもできる。
【０００６】
最近では、ブルートゥース機能を備えるキーボードの利便性は、赤外線伝送より優れている。
しかし、現在ブルートゥース技術を使用するキーボードは、やはり、キーボードと単一装置間の無線伝送に重きを置いており、ブルートゥース伝送範囲内において、異なる装置との選択的接続の長所を活用し、迅速に接続を転換できる技術を提出できてはいない。
そのため、従来のブルートゥース装置は、接続する度に、接続可能な装置のリストを改めて探さなければならない。
【０００７】
しかも、ブルートゥース技術を使用してコンピューターと接続するマウスは、さらに面倒で、マウス上では、接続可能な装置のリストを表示することができないため、双方の接続を確立するためには、コンピューターエンドにより、ブルートゥースの「追加接続」機能を執行し、ブルートゥースマウスを選択しなければならない。
次に、別のコンピューターと同一のブルートゥースマウスが接続を確立する時にも、同様に、そのコンピューターを通して、再度ブルートゥースの「追加接続」機能を執行しなければならない。
しかし、一般のコンピューターでは、マウスの補助がなければ、使用者にとって操作は明らかに不便であるため、そのコンピューターが、ブルートゥースマウスと接続を確立する前に、ブルートゥースの「追加接続」機能を執行しなければならないのでは、非常に困難である。
【０００８】
上記した問題を解決するため、本考案の申請人は既に一つの特許を申請している。
特許文献３に開示する「マルチターゲット切換伝送の入力装置」がそれで、説明の便のため、特許文献３の代表図を本考案の図１に示す。
図１に示すように、入力装置２と多数の情報処理システム１は、それぞれブルートゥース伝送装置３を備える(特許文献３中では、両端のブルートゥース伝送装置に、それぞれ３１、３２を付す)。
特許文献３に開示するように、入力装置２は、情報処理システム１と接続する多数組の装置識別コード(Bd address)、リンクキー(link key)などの双方向データ伝送を確立するために必要な情報を保存でき、これにより入力装置２は、接続ターゲット(object)を変換する時に、接続データを新たに探し、確立する必要がなくなる。
【０００９】
上記した特許文献３の技術は、ブルートゥースキーボード或いはブルートゥースマウス上に応用することができるが、実際の使用の過程において、使用者はキーボード或いはマウス本体のボタンを通して、選択可能な多数の接続ターゲット中から、任意の接続ターゲットを選択する。
キーボード上には、十分なスペースがあり、新たなボタンを設置することができ、或いはキーボード上の複数のボタンの組合わせの変化を通して選択することができる。
しかし、マウスはスペースが限られているため、多数の選択ボタン、或いはボタンの組合わせにより、選択機能を執行することは難しい。
よって、従来のブルートゥースマウスは、多数のコンピューターに迅速に接続を変換できるよう、なお改良が必要である。
本考案は、従来のブルートゥースマウスの上記した欠点に鑑みてなされたものである。
【先行技術文献】
【特許文献】
【００１０】
【特許文献１】台湾特許公示第２００８４６９７６号明細書
【特許文献２】台湾特許公示第Ｍ３４１２６６号明細書
【特許文献３】日本実用新案登録第３１５５５７８号明細書
【考案の概要】
【考案が解決しようとする課題】
【００１１】
本考案が解決しようとする課題は、従来のブルートゥース伝送機能を備えるマウス本体は、構造の制限により、多数のシステムとの間の接続切換がなお不便であるため、それを解決でき、多数組の情報処理システム中において、接続ターゲットを迅速に切り換えることができるブルートゥースマウスを提供することである。
【課題を解決するための手段】
【００１２】
上記課題を解決するため、本考案は下記のインターネット接続ターゲットを迅速に切り換えることができるブルートゥースマウスを提供する。
インターネット接続ターゲットを迅速に切り換えることができるブルートゥースマウスは、信号処理回路を備え、
該信号処理回路は、該マウスの移動量、及びボタンユニットの触発に基づき、制御信号を発生し、
該信号処理回路は、ブルートゥース伝送装置と電気的に連接し、
該マウス内にはさらに、パスキー情報メモリを設置し、ブルートゥース伝送装置と、１個或いは多数の情報処理システムとが確立するデータ伝送接続のパスキーを保存し、
該ボタンユニットは、その内の１個のボタン、或いは複数のボタンの組合せが、該情報処理回路を触発し、ターゲット切換信号を発生するように、設定し、
該ターゲット切換信号は、該ブルートゥース伝送装置を起動し、該マウスの移動量に基づき、該パスキー情報メモリより、１組のパスキーを読み取り、
こうして、パスキーが対応する情報処理システムとデータ伝送接続を確立し、制御信号を、既に接続した情報処理システムへと伝送する。
【考案の効果】
【００１３】
本考案のインターネット接続ターゲットを迅速に切り換えることができるブルートゥースマウスは、マウス本体が、構造の制限により、多数のシステムとの間の接続切換が不便であるという、従来のブルートゥース伝送機能を備えるマウスの欠点を解決することができ、多数組の情報処理システム中において、接続ターゲットを迅速に切り換えることができる。
【図面の簡単な説明】
【００１４】
【図１】従来の技術のブロックチャートである。
【図２】本考案マウスの回路ブロックチャートである。
【図３】本考案マウス執行のフローチャートである。
【図４】本考案マウス執行の別のフローチャートである。
【図５】本考案マウスが移動方向を区別する様子を示す模式図である。
【図６】本考案マウスが接続ターゲットを切り換える様子を示す模式図(一)である。
【図７】本考案マウスが接続ターゲットを切り換える様子を示す模式図(二)である。
【図８】本考案マウスが接続ターゲットを切り換える様子を示す模式図(三)である。
【考案を実施するための形態】
【００１５】
以下に図面を参照しながら本考案を実施するための最良の形態について詳細に説明する。
【００１６】
本考案インターネット接続ターゲットを迅速に切り換えることができるブルートゥースマウスは、図２に示すように、移動センサー２１、移動センサー２１と電気的に連接するアナログ/デジタル転換回路２２、ボタンユニット２５、信号処理回路２３を備える。
【００１７】
移動センサー２１は、光学式センサー、ローラー式センサー、或いは慣性センサーの内の任意の一種で、マウス本体の移動量を感知するために用いる。
移動センサー２１が探知した移動量は、アナログ/デジタル転換回路２２を通して、信号処理回路２３へと伝送する移動量信号に転換する。
移動センサー２１が出力する信号が、デジタル信号であるなら、アナログ/デジタル転換回路２２を使用する必要はない。
【００１８】
ボタンユニット２５は、使用者に押されることで、対応する電気信号を発生する。
信号処理回路２３は、マウスの移動量、及びボタンユニット２５が触発する電気信号に基づき、制御信号を発生する。
制御信号は、使用者がマウスを通じて入力する指令により、情報処理システム１に伝送される(図６参照)。
【００１９】
ブルートゥース伝送技術を利用して、制御信号を伝送するため、信号処理回路２３は、ブルートゥース伝送装置３に電気的に連接する。
好ましい方式は、ブルートゥース伝送装置３を、マウス本体内に設置し、しかもマウス内にはさらに、パスキー情報メモリ２４を設置する。
【００２０】
パスキー情報メモリ２４は、ブルートゥース伝送装置３と、１個或いは多数の情報処理システム１とが確立するデータ伝送接続のパスキーを保存する。
パスキーは、装置識別コード(Bd_address)、装置授権コード(link key)などの、双方向データ伝送を確立するために必要な情報を含む。
言い換えれば、ブルートゥース伝送装置３は、多数の情報処理システム１と接続を確立でき、しかも各情報処理システム１と接続を確立するために必要なデータメッセージ(本考案では、「パスキー」と定義される)を、パスキー情報メモリ２４に保存することができる。
パスキー情報メモリ２４中のパスキーは、書込み、読取可能で、接続可能な情報処理システム１の増減に対応することができる。
【００２１】
ブルートゥース伝送装置３は、ブルートゥース制御ユニット３１、伝送ユニット３２を備える。
ブルートゥース制御ユニット３１は、信号を、ブルートゥース規範に符合する信号フォーマットに調整する。
これを、伝送ユニット３２を通して発送し、接続ターゲット(object)の伝送を確立し、ブルートゥース制御ユニット３１により制御する。
【００２２】
ボタンユニット２５中の任意のボタン、或いは複数のボタンの組合せは、信号処理回路２３を触発し、ターゲット切換信号を発生するように設定される。
ターゲット切換信号は、ブルートゥース伝送装置３のブルートゥース制御ユニット３１を駆動し、接続切換モードに入らせる。
接続切換モード中では、使用者は、マウスを移動させられる。
ブルートゥース制御ユニット３１はさらに、信号処理回路２３からマウスの移動量を取得する。
ブルートゥース制御ユニット３１は、マウスの移動量に基づき、パスキー情報メモリ２４から、１組のパスキーを読取る。
これにより、パスキーに対応する情報処理システム１と、データ伝送接続を確立する。
こうして、マウスは、信号処理回路２３がターゲット切換信号を発生する状況において、それ自体の移動量を、接続ターゲット選択の根拠として利用する。
【００２３】
マウスが接続ターゲットを転換する行程のフローチャートは図３に示す。
先ず、マウスは、１個或いは多数の接続ターゲットのパス情報を取得し、保存する必要がある(ステップ９１執行)。
こうして、マウスは１個或いは多数の接続ターゲットと、迅速にデータ伝送接続を確立する能力を備える。
次に、マウスは、接続切換モードを執行するか否かを判断しなければならない(ステップ９２執行)。
マウスが接続切換モードを起動しない時には、使用者の、接続切換モードの起動を待ち続ける。
使用者がマウスに、接続切換モードを起動させた時には、使用者がマウスを移動させるのを待って移動量を生じ、マウスの移動量を、移動量信号に転換する(ステップ９３執行)。
【００２４】
上記したブルートゥース制御ユニット３１は、移動量信号に基づき、パスキー情報メモリ２４から対応するパス情報を読取る(ステップ９４執行)。
これにより、ブルートゥース制御ユニット３１は、パス情報に基づき、対応する接続ターゲットと、データ伝送を行う(ステップ９５)。
こうして、マウスは、使用者が入力した制御信号を、選択された接続ターゲットに伝送し、同時に、マウスは、使用者が、接続切換モードを再度起動し、接続ターゲットを変えたか否かを随時判断する。
【００２５】
もう一つのフローチャートを図４に示す。
図４と図３との差異は、接続切換モードを機能したか否かの判断(ステップ９２を執行)にある。
使用者が接続切換モードを起動していない時には、マウスは、任意の接続ターゲットと、データ伝送を行うことができる(ステップ９６を執行)。
その際の接続ターゲットは、一つ前に使用した時の接続ターゲット、或いはマウスに予め設定する接続ターゲットである。
マウスが接続切換モードを未執行時、マウスの所定接続ターゲットは、設計時に、マウスのドライバープログラム中に予め書き込み、或いは使用者がコンピューターソフトを通して設定することができる。
【００２６】
上記した技術の実施形態は、図５、６、７に示す。
信号処理回路２３は、マウスが移動する同一平面を、異なる移動量信号を生じる複数の移動区域に区分するよう、予め定義することができる。
図５中では、マウスが移動する平面は、４個の区域に区分される。
マウスの移動方向８１、８２、８３、８４は、各区域を指し示し、４個の異なる移動量信号として識別され、こうして各移動量信号は、単独で、パスキー情報メモリ２４中の１組のパスキーに対応する。
例えば、使用者が、マウスを前方(移動方向８２)へと移動させると、たとえ完全にまっすぐな前方への移動でなくても、許容可能な範囲内であれば、その方向を識別することができ、移動量信号に転換することができる。
マウスがその右側(移動方向８１)に移動すると、異なるもう一つの移動量信号を生じる。
【００２７】
上記した設定の判断方法は、マウス本体のドライバープログラムにより達成される。
例えば、マウス移動の平面を、直行するＸ軸とＹ軸に設定すると、マウスの移動量は、△Ｘ、△Ｙとなる。
仮に、△Ｘが△Ｙより大きい時には、マウスが移動方向８１へ移動したと判断され、その他も、同様の原理による。
【００２８】
図６では、多数の情報処理システム１を示す。
情報処理システム１は、コンピューター、携帯電話端末、PDA、テレビゲーム機の内の任意の一種、或いは多種の組合せである。
上記した多数の情報処理システム１はすべて、ブルートゥース伝送能力を備える。
マウスは先ず、各情報処理システム１と接続対応するパスキーを取得し、パスキー情報メモリ２４に保存する。
マウスのボタンユニット２５は、複数のボタン２５１、モード切換ボタン２５２を備える。
使用者は、モード切換ボタン２５２を押し、信号処理回路２３を触発して、そのターゲット切換信号を生じることができる。
こうして、上記した接続切換モードを起動する。
【００２９】
マウスが接続切換モードに入った後、使用者がマウスを右へと移動させたなら(図６参照)、マウスは対応して移動量信号を生じる。
これにより、ブルートゥース制御ユニット３１は、パスキー情報メモリ２４より、移動量信号に対応するパスキーを読取る。
ブルートゥース制御ユニット３１は、読取ったパスキーに基づき、中の１個の情報処理システム１と接続する。
図６に示すように、マウスが右へと移動すると、最も右側のコンピューターとデータ接続を確立し、その後、マウスの制御信号は最も右側のコンピューターに入力される。
【００３０】
図７に示すように、使用者がさらにモード切換ボタン２５２を押し、マウスを左に向かせると、ブルートゥース制御ユニット３１は、読取ったパスキーに基づき、別の情報処理システム１と接続する。
図７に示すように、マウスが左へと移動すると、最も左側のコンピューターとデータ接続を確立する。
【００３１】
マウスは、他の制御方式を利用し、ターゲット切換信号を生じるように、設計することができる。
図８に示すように、マウスのボタンユニット２５は、複数のボタン２５１を備えることができ、しかも信号処理回路２３は、使用者は少なくとも２個のボタンの組合せを押して触発し、ターゲット切換信号を生じるように設定することができる。
具体的な実施形態は図８に示す。
仮に、マウスが、２個のボタン２５１が押されたら接続切換モードに進入するよう設定されたなら、２個のボタン２５１が、押された後、使用者はマウスを移動させることで、接続ターゲットを選択することができる。
【００３２】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【産業上の利用可能性】
【００３３】
本考案は実用新案登録の要件である新規性を備え、従来の同類製品に比べ十分な進歩を有し、実用性が高く、社会のニーズに合致しており、産業上の利用価値は非常に大きい。
【符号の説明】
【００３４】
１  情報処理システム
２  入力装置
３  ブルートゥース伝送装置
２１  移動センサー
２２  アナログ/デジタル転換回路
２３  信号処理回路
２４  パスキー情報メモリ
２５  ボタンユニット
２５１  ボタン
２５２  モード切換ボタン
３１  ブルートゥース制御ユニット
３２  伝送ユニット
【図１】
0003168847.tif 000003
【図２】
0003168847.tif 000004
【図３】
0003168847.tif 000005
【図４】
0003168847.tif 000006
【図５】
0003168847.tif 000007
【図６】
0003168847.tif 000008
【図７】
0003168847.tif 000009
【図８】
0003168847.tif 000010